(57)【特許請求の範囲】
【請求項１】
電池ケースであって、
電池が第１の向きで挿入された場合に前記電池の正端子に接触するように構成されている第１正接点と、前記電池が第２の向きで挿入された場合に前記電池の負端子に接触するように構成されている第１負接点とを含む第１二重接点集成体と、
前記電池が前記第２の向きで挿入された場合に前記電池の正端子に接触するように構成されている第２正接点と、前記電池が前記第１の向きで挿入された場合に前記電池の負端子に接触するように構成されている第２負接点とを含む第２二重接点集成体と、
前記第１二重接点集成体が取り付けられている本体部であって、前記第１正接点に電気的に結合さればね荷重コネクター・ピンを有する第３正接点と前記第１負接点に電気的に結合さればね荷重コネクター・ピンを有する第３負接点とを含んだ第１結合部を有する、本体部と、
前記第２二重接点集成体が取り付けられている分離可能部であって、前記第２正接点に電気的に結合された第４正接点と前記第２負接点に電気的に結合された第４負接点とを含んだ第２結合部を有する、分離可能部と、
を備えており、
前記分離可能部が、前記本体部との結合状態に入るように、そして結合状態を解除するように、選択的に移動可能であり、前記分離可能部と前記本体部が前記結合状態に入るように移動することに応答して、前記第３正接点が前記第４正接点と電気的に結合し、前記第３負接点が前記第４負接点と電気的に結合し、それによって、前記第１正接点を前記第２正接点に電気的に結合し、前記第１負接点を前記第２負接点に電気的に結合し、
前記結合状態において、前記第１二重接点集成体および前記第２二重接点集成体が、収容部の範囲を定めるように離間関係で保持され、前記収容部において、前記第１二重接点集成体および前記第２二重接点集成体が、前記第１の向きまたは前記第２の向きのいずれかで前記電池の反対側の両端部を保持するように動作可能である、電池ケース。
【請求項２】
請求項１記載の電池ケースにおいて、前記本体部が電池動作型デバイス上に配置されている、電池ケース。
【請求項３】
請求項２記載の電池ケースにおいて、前記分離可能部が、前記電池動作型デバイスの電池室開閉部である、電池ケース。
【請求項４】
請求項３記載の電池ケースにおいて、前記電池動作型デバイスの電池室開閉部が、前記本体部から完全に取り外し可能である、電池ケース。
【請求項５】
請求項３記載の電池ケースにおいて、前記電池動作型デバイスの電池室開閉部が、前記本体部に移動可能に接続されている、電池ケース。
【請求項６】
請求項２記載の電池ケースにおいて、前記第１二重接点集成体の前記第１正接点が、前記電池動作型デバイスの正回路接続部に電気的に結合されており、前記第１二重接点集成体の前記第１負接点が、前記電池動作型デバイスの負回路接続部に電気的に結合されている、電池ケース。
【請求項７】
請求項１記載の電池ケースにおいて、前記第１二重接点集成体および前記第２二重接点集成体が、第１電池を収容する二重接点集成体対の範囲を定め、前記電池ケースが、更に、１つ又は複数の追加の電池を収容するために１つ又は複数の追加の二重接点集成体対を備えている、電池ケース。
【請求項８】
電池動作型デバイスであって、
複数の電池の長手方向の挿入を可能にするように構成されている筐体内部に規定されている電池室であって、この電池室に挿入されたときに、前記複数の電池が端部連続積層体の範囲を定め、この端部連続積層体が、前記筐体の遠端に位置する遠端と、前記筐体の近端に位置する近端とを有する、電池室と、
前記筐体の遠端にある第１二重接点集成体と、
前記筐体の近端に取り付け可能な電池室開閉部上に配置されている第２二重接点集成体と、
前記複数の電池の隣接する対毎に、前記筐体内部に配置されているスペーサー集成体であって、前記複数の電池の内その隣接する対を分離し、その隣接対の第１電池に対する第３二重接点集成体と、その隣接対の第２電池に対する第４二重接点集成体とを有する、スペーサー集成体と、
を備えており、
前記第１、第２、第３、および第４二重接点集成体は、電池が第１の向きで挿入された場合に前記電池の正端子に接触するように構成されている正接点と、前記電池が第２の向きで挿入された場合に前記電池の負端子に接触するように構成されている負接点とを有し、
前記端部連続積層体における前記複数の電池の各々が前記第１、第２、第３、および第４二重接点集成体のうちの隣接する１対の二重接点集成体によって範囲が定められる配向不問電池長収容部の中に保持されるように、前記第１および第２二重接点集成体ならびに前記１つ又は複数のスペーサー集成体が構成されており、前記配向不問電池長収容部が電気的に互いに結合されて、前記複数の電池の各々を前記筐体にどのように挿入するかには関係なく、前記端部連続積層体に所望の電気的構造を形成する、電池動作型デバイス。
【請求項９】
請求項８記載の電池動作型デバイスにおいて、前記筐体が電池動作型デバイス上に配置され、前記筐体の遠端にある前記第１二重接点集成体が、前記電池動作型デバイスにおける正回路接続部に電気的に結合されており、更に前記電池動作型デバイスにおける負回路接続部に電気的に結合されている、電池動作型デバイス。
【請求項１０】
請求項８記載の電池動作型デバイスにおいて、前記配向不問電池長収容部が、直列回路を形成するように、互いに電気的に結合されている、電池動作型デバイス。
【請求項１１】
請求項８記載の電池動作型デバイスにおいて、前記配向不問電池長収容部が、並列回路を形成するように、互いに電気的に結合されている、電池動作型デバイス。
【請求項１２】
請求項８記載の電池動作型デバイスにおいて、前記スペーサー集成体が、装填された端部連続積層体における電池の隣接する対を分離する第１状態と、前記スペーサー集成体が、前記筐体の端まで当該スペーサー集成体を通過して、前記電池の長手方向進行を可能にする第２状態との間で、前記スペーサー集成体が移動可能である、電池動作型デバイス。
【発明の詳細な説明】
【背景技術】
【０００１】
[0001]  電子デバイスに電力を供給するには、電池を使用するのが一般的である。通例、電池は、電気回路を適正に完成させるために特定の向きで、電池動作型デバイスの内部に配置される。例えば、電池の中には、正端子をその電池の一端に有し、負端子をその電池の他端に有するものがあり、これらの電池端子がデバイスのしかるべき接点と係合するように、デバイス内部において電池を適正な向きに配置しなければならない。デバイス内において電池の向きが正しくないと、不完全な回路となって電池動作型デバイスが使用不能になるだけでなく、デバイスの電子部品に、取り返しのつかない損傷を起こす原因にもなり得る。
【発明の概要】
【０００２】
[0002]  したがって、本明細書では、電池動作型デバイスの中に組み込むことができる電池ケース(battery carriage)を提供する。この電池ケースは、第１および第２の二重接点集成体を含み、これらの集成体の各々が、電池の正端子に接触するように構成されている正接点と、電池の負端子に接触するように構成されている負接点とを有する。二重接点集成体の正および負接点によって、電池が電池ケース内でどのように配置されるかには関係なく、電池ケースおよび電池動作型デバイスへの電池の適正な電気的接続が確保される。更に、電池ケースは、第１二重接点集成体が取り付けられる本体部と、第２二重接点集成体が取り付けられる分離可能部とを含む。分離可能部は、本体部との結合状態となるように、そして結合状態から解除されるように、選択的に移動可能となっている。結合状態では、第１二重接点集成体および第２二重接点集成体は、収容部の範囲を定めるように、離間された関係で保持され、第１二重接点集成体および第２二重接点集成体が電池を受け入れ、その反対側の端部を保持するように動作可能となる。分離可能部を結合状態に移動させると、二重接点集成体のそれぞれの正接点と、二重接点集成体のそれぞれの負接点との間に、電気的導通が生じる。
【０００３】
[0003]  この摘要は、詳細な説明において以下で更に説明する概念から選択したものを、簡略化した形態で紹介するために設けられている。この摘要は、特許請求する主題の主要な特徴や必須の特徴を特定することを意図するのではなく、特許請求する主題の範囲を限定するために用いられることを意図するのでもない。更に、特許請求する主題は、本開示のいずれの部分に記されている実施形態の内いずれかの欠点を解決するものにも、また全ての欠点を解決するものにも限定されないものとする。
【図面の簡単な説明】
【０００４】
【図１】図１は、分離状態における電池ケースの一実施形態のブロック図を示す。
【図２】図２は、結合状態における図１の電池ケースのブロック図を示す。
【図３】図３は、電池の正端子と接触している二重接点集成体の一実施形態を模式的に示す。
【図４】図４は、電池の負端子と接触している図３の二重接点集成体を模式的に示す。
【図５】図５は、電池の末端装填を可能にする電池動作型デバイスの一実施形態を模式的に示す。
【図６】図６は、分離状態における電池の電池室開閉部を示す、図５のデバイスの一部断面分解図である。
【図７】図７は、結合状態における電池室開閉部を示す、図６と同様の図である。
【図８】図８は、電池室の他の実施形態を模式的に示す。
【図９】図９は、電池室の更に他の実施形態を模式的に示す。
【発明を実施するための形態】
【０００５】
[0013]  本開示は、末端装填型電池を収容するように構成されている電池ケース(battery carriage)に関する。ある種の側面装填(side-loading)の実施態様とは異なり、本明細書において記載する末端装填型電池ケースは、当該電池ケースの一部が、デバイスの電池開閉部のような、デバイスの分離可能な部分に取り付けられる。更に、この分離可能な部分を適所に結合すると、記載された位置に電池を保持すること、および／または適切な電気的接続を形成することができる。例えば、デバイスは、電池を末端から装填する電池室を有することができ、蝶番型開閉部または取り外し可能な開閉部がデバイス上に置かれたときに、電池と電子回路の残りの部分との電気的接続が完成する。このような電池ケースを利用するデバイスには、懐中電灯、ワイヤレス・コンピューター・マウス、ディジタル・カメラ、ゲーミング・コントローラー、リモコン等を含むことができる。
【０００６】
[0014]  これまでの解決策における電池室では、ユーザーが電池を特定の向きで挿入しなければならず、正端子および負端子を、デバイス上にある対応する極性特定接点（即ち、正および負）と適正に位置合わせするように注意しなければならなかった。このような以前の解決策には、適正な電池の向きを示す図または説明書が添付されるのが通例であるが、照明が暗い場所のように、視界が遮られる状態や、一部の年配のユーザーにあり得るように、このような説明書を読むことが困難な場合もあり得る。加えて、子供がこのような説明書通りに作業することも難しい場合もあり得る。更に、電池が直ぐになくなってしまうデバイスにおいて電池を交換する毎にこのような図にしたがって作業するのは、不必要に時間を消費することもあり、このような電池交換がユーザーにとって苛々の元になり得る。前述のように、このような以前の解決策において電池を正しい向きに装填しないと、電気回路が不完全になるだけでなく、デバイスの他の電子部品を損傷する虞れもあり得る。このため、本開示の電池ケースは、いずれの向きでも電池を受け入れるように構成されている二重接点集成体を含む。これについては、以下で更に詳しく説明する。
【０００７】
[0015]  図１および図２は、電池ケース１００の一実施形態を示す。電池ケース１００は、第１二重接点集成体１０４を取り付けることができる本体部１０２と、第２二重接点集成体１０８を取り付けることができる分離可能部１０６とを備えている。図１は、電池ケース１００の分離状態を示し、一方図２は電池ケース１００の結合状態を示す。更に具体的には、分離可能部１０６は、本体部１０２との結合状態に入るように、そして結合状態を解除するように、選択的に移動可能になっているとよい。分離可能部１０６を移動させて結合状態にすると、第１二重接点集成体１０４と第２二重接点集成体１０８との間に電気的導通が生じる。実施形態の中には、この電気的導通を生じさせるために、電気カプラーを用いるとよい場合もある。このようなカプラーーは、第１結合部１１０と第２結合部１１２とを含むことができる。これについては、以下で更に詳しく説明する。
【０００８】
[0016]  図１に戻って、本体部１０２は、電池動作型デバイス１１４の上に配置することができる。このような電池動作型デバイスの非限定的な例には、懐中電灯、ワイヤレス・コンピューター・マウス、ディジタル・カメラ、ゲーミング・コントローラー、リモコン等が含まれる。例の中には、分離可能部１０６が、電池動作型デバイス１１４の電池室開閉部であってもよい場合もある。このような分離可能部１０６（例えば、電池動作型デバイスの電池室開閉部）は、電池動作型デバイス１１４の本体部１０２から完全に取り外し可能にしてもよい。あるいは、分離可能部１０６は、電池動作型デバイス１１４の本体部１０２に、移動可能に接続されてもよい。このような移動可能な接続の非限定的な例には、蝶番、留め金、誘導装置等が含まれる。
【０００９】
[0017]  第１二重接点集成体１０４は、電池の正端子に接触するように構成されている正接点と、電池の負端子に接触するように構成されている負接点とを含む。同様に、第２二重接点集成体１０８も、電池の正端子に接触するように構成されている正接点と、電池の負端子に接触するように構成されている負接点とを含む。したがって、電池が正端子および負端子を当該電池の反対側に有する場合、２つの可能な向きのいずれでも、この電池を第１二重接点集成体１０４と第２二重接点集成体１０８との間に配することができる。言い換えると、電池の正端子が第１二重接点集成体１０４の正接点に接触し、電池の負端子が第２二重接点集成体１０８の負接点に接触する第１配向で、電池を位置付けることができる（図１では正の電池端子は下向きになっている）。あるいは、電池の負端子が第１二重接点集成体１０４の負接点と接触し、電池の正端子が第２二重接点集成体１０８の正接点に接触する別の配向で、電池を位置付けることもできる（図１では、正の電池端子が上向きになっている）。このように、電池ケース１００は、いずれの向きで電池を収容しても、なおもデバイスに対する適切な電気的接続を維持／形成するように構成することができる。
【００１０】
[0018]  一例として、図３は、このような二重接点集成体の一実施形態を示す。即ち、二重接点集成体３００は、正接点３０２と負接点３０４と含む。更に、二重接点集成体３００は、正接点３０２と負接点３０４との間における電気的導通を防止するために、電気絶縁体３０６を含む。図示のように、正接点３０２は窪んでおり、電池３１０の突出した正端子３０８に接触するように構成されている。図４は、二重接点集成体３００に関する電池３１０の代わりの向きを示す。図示のように、負接点３０４は窪んでおらず、電池３１０の実質的に平坦な負端子３１２に接触するように構成されている。したがって、電池がどのように向けられているかには関係なく、適正な端子の接触が生じる。
【００１１】
[0019]  図１および図２に戻り、第１二重接点集成体１０４は、電池動作型デバイス１１４の正回路接続部１１６に電気的に結合されており、更に電池動作型デバイス１１４の負回路接続部１１８に電気的に結合されている。更に具体的には、第１二重接点集成体１０４の正接点は、正回路接続部１１６に電気的に結合されており、第１二重接点集成体１０４の負接点は、負回路接続部１１８に電気的に結合されている。したがって、電池ケース１００の中に電池を入れれば、電池動作型デバイス１１４に給電するために用いることができる。
【００１２】
[0020]  前述のように、図１は、本体部１０２との結合状態にないときの分離可能部１０６を示す。一方、図２は、本体部１０２との結合状態にあるときの分離可能部１０６を示す。結合状態では、第１二重接点集成体１０４および第２二重接点集成体１０８は、収容部の範囲を定めるように、離間された関係で保持されており、第１二重接点集成体１０４および第２二重接点集成体１０８は、電池１２０を収容しその反対側にある端部を保持するように動作可能となる。
【００１３】
[0021]  更に、前述のように、分離可能部１０６を移動させて本体部１０２との結合状態にすることによって、第１二重接点集成体１０４および第２二重接点集成体１０８間に、電気的導通が生じる。更に具体的には、この結合状態では、第１二重接点集成体１０４の正接点と第２二重接点集成体１０８の正接点との間に電気的導通が生じ、更に第１二重接点集成体１０４の負接点と第２二重接点集成体１０８の負接点との間にも電気的導通が生じる。あるいは、これら２つの部分を結合および切断することによって、二重接点集成体１０８間の正接続（または負接続）の接続および遮断(interruption)のみが生ずるようにしてもよい。
【００１４】
[0022]  前述のように、実施形態の中には、電気的導通を生じさせるために、電気カプラーを用いるとよい場合もある。このようなカプラーーは、第１結合部１１０と第２結合部１１２とを含むことができる。第１結合部１１０は、第１二重接点集成体１０４の正接点に電気的に結合されている正接点と、第１二重接点集成体１０４の負接点に電気的に結合されている負接点とを含む。同様に、第２結合部１１２は、第２二重接点集成体１０８の正接点に電気的に結合されている正接点と、第２二重接点集成体１０８の負接点に電気的に結合されていされている負接点とを含む。したがって、結合状態では、第１結合部１１０の正接点は、第２結合部１１２の正接点に電気的に結合され、第１結合部１１０の負接点は、第２結合部１１２の負接点に電気的に結合されている。
【００１５】
[0023]  第１結合部１１０および第２結合部１１２は、適した電気結合部品であればいずれでも含むことができる。例えば、実施形態の中には、第２結合部１１２が、前述のように、正接点と負接点とを含むとよい場合がある。すると、第１結合部１１０は、ばね荷重コネクター・ピン（例えば、ポゴ・ピン(pogo pin)）を含み、このばね荷重コネクター・ピンが物理的に第２結合部１１２の正接点に接触したときに、第２結合部１１２の正接点に電気的に結合するように構成することができる。したがって、第１結合部１１０は、更に、他のばね荷重コネクター・ピンも含み、このばね荷重コネクター・ピンが第２結合部１１２の負接点に物理的に接触したときに、第２結合部１１２の負接点に電気的に結合するように構成することができる。このような電気カプラーを利用することにより、分離状態では、分離可能部１０６を本体部１０２から部分的にまたは完全に取り外すことが可能になり、そして結合状態にあるときには電気的導通を生じさせることが可能になる。
【００１６】
[0024]  実施形態の中には、電池ケース１００を、１つよりも多い末端装填型電池を収容するように構成することができる場合もある。このような実施形態では、第１二重接点集成体１０４および第２二重接点集成体１０８が、第１電池を収容するための二重接点集成体対の形状を定め、更に電池ケース１００は、１つ又は複数の追加の電池を収容するために、１つ又は複数の追加の二重接点集成体対を備えることができる。このような実施形態については、図８および図９を参照しながら更に詳しく説明する。
【００１７】
[0025]  図５は、電池動作型デバイス５００の一実施形態を模式的に示す。図示のように、電池動作型デバイス５００は、ワイヤレス・コンピューター・マウスであり、電池室５０２（例えば、電池ケース）を図示するために、電池室開閉部（図５には示されていない）が取り除かれている。電池室５０２は、末端装填型動作によって電池５０４を収容するように構成することができ、電池は長手方向にデバイスに挿入される。
【００１８】
[0026]  図６は、電池動作型デバイス５００の電池室５０２の別の図を模式的に示す。図６の見方では、電池動作型デバイス５００が図５に対して１８０度回転させられており、電池室４０２の構成部品が見えるようにするために、外側の外装が取り除かれている。図示のように、筐体内部には電池室５０２の範囲が定められている。この筐体は、電池室５０２への電池５０４の末端装填型を可能にするように構成されている。
【００１９】
[0027]  電池動作型デバイス５００は、更に、筐体の第１対向端５０７に配置されている第１二重接点集成体５０６を含む。前述のように、第１二重接点集成体５０６は、電池５０４の正端子に接触するように構成されている正接点と、電池５０４の負端子に接触するように構成されている負接点とを含む。図５および図６に示すように、電池５０４は、電池５０４の負端子５０８が第１二重接点集成体５０６に接触するように向けられている。しかしながら、代わりに、電池５０４を逆向きにして、電池５０４の正端子５１０が第１二重接点集成体５０６に接触することも可能である。
【００２０】
[0028]  更に、電池動作型デバイス５００は、電池室開閉部５１４上に配置されている第２二重接点集成体５１２も含む。第２二重接点集成体５１２は、更に、電池５０４の正端子に接触するように構成されている正接点５１６と、電池５０４の負端子に接触するように構成されている負接点５１８とを含む。前述のように、図５および図６は、結合状態にあるときに、電池５０４の正端子５１０が第２二重接点集成体５１２の正接点５１６に接触するように向けられた電池５０４を示す。しかしながら、代わりに、電池５０４を逆向きにして、電池５０４の負端子５０８が第２二重接点集成体５１２の負接点５１８に接触することもできることは言うまでもない。
【００２１】
[0029]  電池室開閉部５１４は、筐体の第２対向端５１９との結合状態に入るように、そして結合状態を解除するように、選択的に移動可能である。図６に示すように、電池室開閉部５１４は結合状態にはない。
【００２２】
[0030]  一例として、図７は、筐体の第２対向端５１９との結合状態にある電池室開閉部５１４を示す。結合状態では、第１二重接点集成体５０６および第２二重接点集成体５１２は、電池５０４を収容しその反対側の端部を保持するように、離間関係に保持されている。更に、電池室開閉部５１４を移動させて結合状態にすると、第１二重接点集成体５０６の正接点と第２二重接点集成体５１２の正接点５１６との間に、電気的導通が生じる。更に、電池室開閉部５１４を移動させて結合状態にすると、第１二重接点集成体５０６の負接点と、第２二重接点集成体５１２の負接点５１８との間に電気的導通が生じる。
【００２３】
[0031]  更に、電気カプラー５２０によって電気的導通を生じさせることもできる。電気カプラー５２０は、第１二重接点集成体５０６に電気的に結合されている第１結合部５２２と、第２二重接点集成体５１２に電気的に結合されていされている第２結合部５２４とを含むことができる。一例として、第１結合部５２２は、第１二重接点集成体５０６の正接点に電気的に結合されているばね荷重コネクター・ピン５２６と、第１二重接点集成体５０６の負接点に電気的に結合されているばね荷重コネクター・ピン５２８とを含むことができる。第２結合部５２４は、第２二重接点集成体５１２の正接点５１６に電気的に結合されていされている正接点５３０と、第２二重接点集成体５１２の負接点５１８に電気的に結合されている負接点５３２とを含むことができる。このため、結合状態では、ばね荷重コネクター・ピン５２６は正接点５３０に接触し、ばね荷重コネクター・ピン５２８は負接点５３２に接触する。
【００２４】
[0032]  前述のように、電池室は、１つよりも多い電池を収容するように構成することもできる。このような場合、電池室は、１つよりも多い二重接点集成体対を含み、各対が、第１二重接点集成体および第２二重接点集成体を含み、各二重接点集成体対が、２つの潜在的に可能な向きのいずれでも、電池を収容するように構成されている。
【００２５】
[0033]  図８は、４つの末端装填型電池、即ち、電池８０２、電池８０４、電池８０６、および電池８０８を収容するように構成されている電池室８００の一例を示す。しかしながら、これは、このような電池室の一例に過ぎないこと、そして本開示の範囲から逸脱することなく、本明細書において論じられているような電池を複数個収容するように構成された電池室を、他の構成で、これらの電池を収容するように構成することもできることは言うまでもない。
【００２６】
[0034]  前述のように、これまでの解決策では、電池室は、各電池を特定の向きで収容するように構成されていた。しかしながら、電池ケース１００および電池室５０２を参照しながら先に説明したように、電池室８００は、各電池をいずれの向きであっても収容することができる。即ち、電池室８００の対向端８１０に正端子がきても、対向端８１０に負端子がきてもよい。図示のように、電池８０２および電池８０６は、前者の向き（正の電池端子が上を向いている）になっており、電池８０４および電池８０８は、後者の向き（正の電池端子が下を向いている）になっている。しかしながら、これは、各電池を収容する二重接点集成体が、前述のように、電池をいずれの向きででも収容するように構成されているので、各電池はいずれの向きで装填してもよいことを、単に例示の目的で示すに過ぎない。
【００２７】
[0035]  ４つの二重接点集成体対の各々では、第１二重接点集成体（図示せず）が、デバイス８１４内部に配置されている電池室８００の対向端８１２に位置付けられている。したがって、４つの二重接点集成体対の各々の第２二重接点集成体は、デバイス８１４の電池室開閉部８１６に位置付けられている。一例として、第２二重接点集成体８２０は、電池８０８を収容するように構成されている二重接点集成体対に対して示されている。
【００２８】
[0036]  各第１二重接点集成体は、電池の正端子に接触するように構成されている正接点と、電池の負端子に接触するように構成されている負接点とを含む。これらの正接点の各々は、デバイス８１４において正回路接続部に電気的に接続されており、これらの負接点の各々は、デバイス８１４において負回路接続部に電気的に接続されている。更に、各第１二重接点集成体は、第１結合部８２２に電気的に接続されている。
【００２９】
[0037]  各第２二重接点集成体は、電池の正端子に接触するように構成されている正接点と、電池の負端子に接触するように構成されている負接点とを含む。一例として、第２二重接点集成体８２０は、正接点８２４と負接点８２６とを含む。各第２二重接点集成体は、第２結合部８２８に電気的に接続されている。電池室開閉部８１６が、デバイス８１４の本体部に関して結合状態にあるとき、各二重接点集成体対の第１二重接点が、第１結合部８２２の第２結合部８２８との接触を通じて、その二重接点集成体対の第２二重接点に電気的に接続されるようになる。実施形態の中には、第１二重接点集成体または第２二重接点集成体のような二重接点集成体が、電池との連続接合面を確保するために、ばね構造を含むとよい場合もある。更に、実施形態の中には、二重接点集成体が、正接点と負接点との間に分離壁を含み、電池が同時に双方の接点に触れるのを防止するようにするとよい場合もある。
【００３０】
[0038]  図８に示したような多重電池構成では、二重接点集成体対を種々の方法で電気的に結合することができる。例の中には、二重接点集成体対を互いに配線して、電池の直列接続を形成することができる場合もある。他の例の中には、並列アーキテクチャを形成するように、二重接点集成体対を配線することもできる。いずれの場合でも、電池室８００の対向端８１２においてプリント回路ボードまたは同様のメカニズムの使用によって配線接続が望まれる場合、この配線接続を形成することができる。並列構造の場合、配線接続に何らかの簡素化を行うことが可能な場合もある。例えば、電池室開閉部８１６の上にある二重接点集成体の正端子の全てを互いに配線することができ、負端子の全てを互いに配線することができる。その結果、この並列回路構造は、第１結合部８２２および第２結合部８２８の相互作用を通じて結合される１本の正ワイヤおよび１本の負ワイヤのみを有することによって形成することができる。逆に、直列回路構成では、Ｎ本の正結合ワイヤおよびＮ本の負結合ワイヤが、Ｎ個の電池の構成には必要となると考えられる。更に、並列回路配線および直列回路配線の前述の例は、直列回路および並列回路の組み合わせを有する回路構造というように、他の配線構成も形成することができるということから、非限定的である。
【００３１】
[0039]  図９は、複数の電池を収容するように構成されている別の電池ケース、即ち、電池ケース９００を示す。電池ケース９００は、筐体内部に形状が定められている電池室を含む。この筐体は、複数の電池の長手方向への挿入を可能にするように構成されており、複数の電池が電池室内に挿入されると、端同士が接続する積層体(end-to-end stack)の形状が定められる。図９は、２つの電池（即ち、電池９２２および電池９２４）が連続的に電池ケース９００に挿入されるときの、時系列ｔ０、ｔ１等、ｔ４までを示す。その結果、２つの電池から成る積層体が電池ケース内に装填されることになる。図示および説明の簡略化のために２つの電池が示されているが、このようなケースは、３つ以上の電池を有する積層体を収容するように製作できることは、認められてしかるべきである。
【００３２】
[0040]  時点ｔ０において示すように、積層体の内第１電池９２２を、筐体９０１の近端９０４から挿入する。筐体９０１は、電池室９０３の形状を定める。また、筐体９０１は遠端９０２も含み、時点ｔ４において示すように、一旦電池積層体が筐体内に完全に挿入されると、遠端９０２が電池積層体の遠端に接触する。更に、電池ケース９００は、筐体の遠端９０２にある二重接点集成体９０６と、筐体の近端９０４に取り付け可能な電池室開閉部９１０上に配置されている二重接点集成体９０８とを含む。実施形態の中には、この筐体を電池動作型デバイス内部に配置してもよい場合もある。このような場合、二重接点集成体９０６および／または二重接点集成体９０８を、電池動作型デバイスにおける正回路接続部に電気的に結合することができ、電池動作型デバイスにおける負回路接続部に電気的に結合することができ、電池ケース９００の中にある端部連続積層体(end-to-end stack)が電池動作型デバイスに電力を供給できるようになる。
【００３３】
[0041]  更に、電池ケース９００は、スペーサー集成体９１２も含み、スペーサー集成体９１２は複数の電池の内隣接する対毎に筐体内部に配置されている。スペーサー集成体９１２は、複数の電池の内隣接する対を分離し、その隣接する対の内第１電池には二重接点集成体９１４を有し、その隣接する対の内第２電池には二重接点集成体９１６を有する。筐体の近端および遠端にある二重接点集成体、ならびにスペーサー集成体９１２にある二重接点集成体は、全て、先に説明した例の二重接点集成体と同様である。具体的には、これらには、正および負電池端子接点が設けられ、どちらの電池端子（正または負）にこれらが係合されているかには関係なく、電池との適切な電気的接続を行うように設計されている。
【００３４】
[0042]  図示した例では、電池ケース９００は、２つの電池を収容するように構成されており、したがってこの電池の隣接対の間に、１つのスペーサー集成体９１２を含む。しかしながら、他の実施形態では、電池ケースが、例えば、３つの電池を収容することもできる。このような三電池積層体では、電池ケースは２つのスペーサー集成体を有することになる。１つは、電池の第１隣接対を分離し、他の１つは、電池の第２隣接対を分離する。更に一般的には、電池ケースがｎ個の電池の端部連続積層体を形成するように、ｎ個の電池を収容するように構成することもできる。したがって、このような積層体は、（ｎ−１）個の隣接電池対を含み、したがって、電池ケースは、筐体内部に配置された（ｎ−１）個のスペーサー集成体を含む。
【００３５】
[0043]  スペーサー集成体は、装填された端部連続積層体において隣接する電池をスペーサーが分離する第１状態と、電池がスペーサー集成体を通過して電池室の筐体の端まで長手方向に進むことができる第２状態との間で移動可能とするとよい。更に特定すれば、図９に示すように、スペーサー集成体９１２は、ばね荷重された２つの部分を含むことができる。実施形態の中には、これら２つの部分が互いに対してばね荷重されているとよい場合もある。そして更に、これら２つの部分が互いに対して、そして筐体に対してばね荷重されていてもよい。したがって、図９において時点ｔ１、ｔ２、およびｔ３に連続的に示すように、スペーサー集成体９１２は、折れ曲がって末端装填型電池の通過を可能にすることができる。スペーサー集成体９１２は、第２部分に対してばね荷重された、またはそれ以外で弾性変形可能な第１部分９１８を含み、２つの部分９１８および９２０は、更に、筐体に対してばね荷重されるか、またはそれ以外で弾性変形可能とするとよい。したがって、電池９２２との接触に応答して、第１部分９１８が９２０に向かって曲がることにより、電池９２２の通過を可能にする。これは、時点ｔ２において最も明確に見ることができる。更に、一旦電池９２２がスペーサー集成体９１２を通過したなら、第２部分９２０は、時点ｔ３に示すように、曲がって元に戻り、第１部分９１８に対して屈曲した(unstretched)外形に戻る。
【００３６】
[0044]  図９の例では、二重接点集成体および１つ又は複数のスペーサー集成体は、端部連続積層体の中にある複数の電池の各々が、二重接点集成体の対によって範囲が定められた、配向不問電池長収容部(orientation-neutral battery-length receptacle)の中に保持されるように、構成されている。時点ｔ４において示すように、第１二重接点集成体対は、二重接点集成体９０６と、スペーサー集成体９１２の二重接点集成体９１４とを含み、電池９２２を収容するように、第１の配向不問電池長収容部を形成する。したがって、電池９２２は、図示のように向けられて、正端子が二重接点集成体９０６に接触し、負端子が二重接点集成体９１４に接触することができる。または、代わりに、逆向きに装填することもできる。
【００３７】
[0045]  更にｔ４において示すように、二重接点集成体９０８とスペーサー集成体９１２の二重接点集成体９１６とを含む別の二重接点集成体対が、他の電池、即ち、電池９２４を収容するように、他の配向不問電池長収容部を形成する。したがって、電池９２４は、図示のように向けられて、正端子が二重接点集成体９０８に接触し、負端子が二重接点集成体９１６に接触することができる。または、代わりに、逆向きに装填することもできる。
【００３８】
[0046]   配向不問電池長収容部は、互いに電気的に結合され、複数の電池の各々がどのように筐体内に挿入されたかには関係なく、端部連続積層体に望ましい電気的構造が得られる。例えば、実施形態の中には、配向不問電池長収容部が互いに結合されて直列回路を形成するように、電気的に接続することができる場合もある。例えば、積層体において、隣接する収容部が上にあり、更に隣接する収容部が下にある所与の収容部では、この中央にある収容部の正接続を、上に隣接する収容部の負接続に配線し、負接続を、下に隣接する収容部の正接続に配線することになる。
【００３９】
[0047]  他の例では、配向不問電池長収容部を互いに結合して並列回路を形成するように、二重接点集成体を電気的に接続することもできる。直列の例とは対照的に、並列構造は、電池長収容部の正接続を共通ノード／位置に繋げ、負接続を別の共通ノード／位置に繋げることによって得られる。更に別の例では、配向不問電池長収容部を互いに結合して、並列回路および直列回路の組み合わせを形成するように、二重接点集成体を電気的に接続することもできる。例えば、積層体内部にある２つの電池を直列構成にするが、直列構成になっている他の２つの電池とは並列に配線することができる。二重接点集成体によって、そして配向不問収容部の範囲を定めるために、対をなすようにこれらを装備したことによって、ユーザーが個々の電池をどのように挿入したかには関係なく、電池および電池積層体に合わせた所望の電気的構造を得ることが可能になる。
【００４０】
[0048]  尚、本明細書において記載した構成および／または手法は、その性質上例示であること、そして、多数の変形が可能であることから、これらの具体的な実施形態や例は、限定的な意味で解釈してはならないことは言うまでもない。本明細書において記載した具体的なルーチンまたは方法は、あらゆる数の処理方策の内１つ又は複数を代表することができる。したがって、図示した種々の動作は、図示した順に行うことができ、他の順で行うことができ、並列して行うこともでき、また場合によっては省略することもできる。同様に、前述のプロセスの順序も変更することができる。
【００４１】
[0049]  本開示の主題は、種々のプロセス、システムおよび構成、ならびにその他の機構、機能、動作、および／または本明細書において開示した特性の全ての新規で非自明のコンビネーションおよびサブコンビネーション、更にはそのあらゆる均等物および全ての均等物を含むものとする。
【図１】
0005603932.tif 000002
【図２】
0005603932.tif 000003
【図３】
0005603932.tif 000004
【図４】
0005603932.tif 000005
【図５】
0005603932.tif 000006
【図６】
0005603932.tif 000007
【図７】
0005603932.tif 000008
【図８】
0005603932.tif 000009
【図９】
0005603932.tif 000010